(57)【要約】【課題】  押し釦を誤って操作してしまったり、押し釦が偶発的に押されてしまうことによって不意に高温の湯が吐出されるという危険を回避することができる水栓装置を提供する。【解決手段】  本発明は、止水状態と吐水状態を切り替える開閉弁が水栓本体に取付けられている水栓装置である。開閉弁（１３２）は、圧力開放穴を備え止水状態と吐水状態を切り替える主弁（４６）と、圧力開放穴を開閉するように配置された温度応動弁（５１）と、水栓装置から吐水されるべき水の温度が高くなると、温度応動弁が圧力開放穴に当接するように温度応動弁を移動させる応動弁駆動手段（５３、５７）と、温度応動弁が圧力開放穴に当接すると内部の圧力が上昇して主弁が閉鎖される方向に主弁を押す圧力室（４８）と、を有することを特徴としている。【選択図】      図１２
2005163990.tif 000002
【特許請求の範囲】
【請求項１】
止水状態と吐水状態を切り替える開閉弁が水栓本体に取付けられている水栓装置であって、
この開閉弁が、
使用者の操作により移動され、止水状態と吐水状態を切り替える主弁と、
上記水栓装置から吐水されるべき水の温度が高くなると、上記主弁が閉鎖するように上記主弁を移動させる主弁駆動手段と、
を有することを特徴とする水栓装置。
【請求項２】
止水状態と吐水状態を切り替える開閉弁が水栓本体に取付けられている水栓装置であって、
この開閉弁が、
圧力開放穴を備え止水状態と吐水状態を切り替える主弁と、
上記圧力開放穴を開閉するように配置された温度応動弁と、
上記水栓装置から吐水されるべき水の温度が高くなると、上記温度応動弁が上記圧力開放穴に当接するように上記温度応動弁を移動させる応動弁駆動手段と、
上記温度応動弁が上記圧力開放穴に当接すると内部の圧力が上昇して上記主弁が閉鎖される方向に上記主弁を押す圧力室と、
を有することを特徴とする水栓装置。
【請求項３】
上記開閉弁が、さらに、止水状態と吐水状態を切り替える際に操作される操作部と、この操作部の操作によって上記圧力開放穴を開閉するように、上記圧力室の内部に配置されたパイロット弁と、を有することを特徴とする請求項２記載の水栓装置。
【請求項４】
上記応動弁駆動手段が、上記圧力室の外部に配置され、上記温度応動弁が、上記パイロット弁の反対側から上記圧力開放穴に当接する請求項３記載の水栓装置。
【請求項５】
上記圧力開放穴は、その上記温度応動弁が当接する部分に切欠部が形成され、上記温度応動弁が上記圧力開放穴に当接したとき、上記圧力開放穴が完全に閉鎖されない請求項２乃至４の何れか１項に記載の水栓装置。
【請求項６】
上記応動弁駆動手段が形状記憶合金製のコイルバネであり、上記水栓装置から吐水されるべき水の温度が高くなると上記コイルバネが伸張又は圧縮して上記温度応動弁を駆動する請求項２乃至５の何れか１項に記載の水栓装置。
【発明の詳細な説明】
【技術分野】
【０００１】
本発明は、水栓装置に係わり、特に、開閉弁の開閉により止水状態と吐水状態を切り替える水栓装置に関する。
【背景技術】
【０００２】
従来から、押し釦を操作することにより、弁体の開閉を止水状態と吐水状態の２状態に切り替え制御するようにした水栓装置が知られている。
例えば、特開平１０−１６９８０１号公報（特許文献１）には、押し釦として、支軸を中心に揺動するシーソー式のレバーを設け、その押し釦を押圧操作することにより、ダイヤフラム式の開閉弁の弁体を開位置及び閉位置に位置させることにより、止水状態と吐水状態を切り替えるようにした水栓装置が知られている。
【０００３】
【特許文献１】特開平１０−１６９８０１号公報
【発明の開示】
【発明が解決しようとする課題】
【０００４】
上述した特許文献１のように押し釦により止水状態と吐水状態を切り替え制御するような水栓装置は、ワンタッチで止水、吐水操作を行うことができるので、非常に操作性に優れている。その反面、水栓装置の誤操作により、不意に吐水されてしまうこともある。特に、吐水温度を高温に設定しているとき、シャワーから不意に吐水されると、熱湯を身体に被ってしまうことになり問題がある。また、地震等により、落下物があり、その落下物により、押し釦が偶発的に作動し、高温の湯が吐水される場合もあり、問題がある。さらに、子供が誤って又はいたずらで押し釦を操作して、高温の湯を被ってしまうという問題が生じる。
【０００５】
そこで、本発明は、従来技術の問題点を解決するためになされたものであり、押し釦を誤って操作してしまったり、押し釦が偶発的に押されてしまうことによって不意に高温の湯が吐出されるという危険を回避することができる水栓装置を提供することを目的としている。
【課題を解決するための手段】
【０００６】
この目的を達成するために、本発明は、止水状態と吐水状態を切り替える開閉弁が水栓本体に取付けられている水栓装置であって、この開閉弁が、使用者の操作により移動され、止水状態と吐水状態を切り替える主弁と、水栓装置から吐水されるべき水の温度が高くなると、主弁が閉鎖するように主弁を移動させる主弁駆動手段と、を有することを特徴としている。
このように構成された本発明においては、水栓装置は開閉弁を有し、この開閉弁は、使用者の操作により開閉される主弁を備えている。この主弁はまた、主弁駆動手段によっても駆動され、水の温度が高くなると、閉鎖するように移動される。
【０００７】
このように構成された本発明によれば、水栓装置から不意に高温の水が吐水されるのを防止することができる。
また、本発明は、止水状態と吐水状態を切り替える開閉弁が水栓本体に取付けられている水栓装置であって、この開閉弁が、圧力開放穴を備え止水状態と吐水状態を切り替える主弁と、圧力開放穴を開閉するように配置された温度応動弁と、水栓装置から吐水されるべき水の温度が高くなると、温度応動弁が圧力開放穴に当接するように温度応動弁を移動させる応動弁駆動手段と、温度応動弁が圧力開放穴に当接すると内部の圧力が上昇して主弁が閉鎖される方向に主弁を押す圧力室と、を有することを特徴としている。
【０００８】
このように構成された本発明においては、水栓装置から吐水されるべき水の温度が高くなると、応動弁駆動手段は、温度応動弁を圧力開放穴の方に移動させ、温度応動弁を圧力開放穴に当接させる。温度応動弁が圧力開放穴に当接すると、圧力室内の圧力が高くなるので、この圧力によって主弁が閉鎖する方向に押圧され、主弁が閉鎖される。
このように構成された本発明によれば、水栓装置から不意に高温の水が吐水される危険を回避することができる。
【０００９】
本発明において、好ましくは、開閉弁が、さらに、止水状態と吐水状態を切り替える際に操作される操作部と、この操作部の操作によって圧力開放穴を開閉するように、圧力室の内部に配置されたパイロット弁と、を有する。
このように構成された本発明においては、開閉弁を開閉操作するために操作部を操作すると、圧力室内に配置されたパイロット弁が移動され、主弁に設けられた圧力開放穴が開閉される。圧力開放穴がパイロット弁によって閉鎖されると、圧力室の圧力が上昇し、この圧力によって主弁が閉鎖する方向に押圧され、主弁が閉鎖される。
このように構成された本発明によれば、水栓装置から不意に高温の水が吐水されるのを防止することができる。
【００１０】
本発明において、好ましくは、応動弁駆動手段が、圧力室の外部に配置され、温度応動弁が、パイロット弁の反対側から圧力開放穴に当接する。
このように構成された本発明においては、操作部の操作によって移動されるパイロット弁は、圧力室の内部から圧力開放穴を開閉し、応動弁駆動手段によって駆動される温度応動弁は、圧力室の外部から圧力開放穴を開閉して、主弁の止水状態と吐水状態を切り替える。
このように構成された本発明によれば、水栓装置から不意に高温の水が吐水されるのを防止することができる。
【００１１】
本発明において、好ましくは、圧力開放穴は、その温度応動弁が当接する部分に切欠部が形成され、温度応動弁が圧力開放穴に当接したとき、圧力開放穴が完全に閉鎖されない。
このように構成された本発明においては、応動弁駆動手段によって温度応動弁が圧力開放穴に当接された後も水栓本体内の水が少しずつ開閉弁から流出するので、温度応動弁が作動した後、水栓装置から吐出されるべき水の温度を低温に設定することによって、作動した温度応動弁を容易に非作動状態に復帰させることができる。
【００１２】
本発明において、好ましくは、応動弁駆動手段が形状記憶合金製のコイルバネであり、水栓装置から吐水されるべき水の温度が高くなるとコイルバネが伸張又は圧縮して温度応動弁を駆動する。
このように構成された本発明によれば、水栓装置から吐水されるべき水の温度が高くなったとき温度応動弁を移動させる応動弁駆動手段を、簡単な機構で構成することができる。
【発明の効果】
【００１３】
本発明の水栓装置によれば、押し釦を誤って操作してしまったり、押し釦が偶発的に押されてしまうことによって不意に高温の湯が吐出されるという危険を回避することができる。
【発明を実施するための最良の形態】
【００１４】
以下に添付図面を参照して本発明の実施形態を説明する。
先ず、図１乃至図５により、本発明の第１実施形態の水栓装置である湯水混合水栓の基本構成を説明する。図１は、本発明の第１実施形態による湯水混合水栓を示す全体斜視図であり、図２は、図１に示された湯水混合水栓の平面図であり、図３は、図１に示す湯水混合水栓の部品を展開して示す展開図であり、図４は、本実施形態の水栓本体を示す平面図であり、図５は図４のＡ−Ａ線、Ｂ−Ｂ線及びＣ−Ｃ線に沿って見た断面図である。
【００１５】
図１及び図２に示すように、符号１０１は、本実施形態による湯水混合水栓を示し、この湯水混合水栓１０１は、湯水混合水栓１０１の設置面である壁面から突出して設けられている。この湯水混合水栓１０１は、水栓本体１０２を備え、この水栓本体１０２に、温度調整用ダイヤル１０４及び押ボタンユニット１０６が取り付けられている。この押ボタンユニット１０６は、カラン吐水用のカラン用押し釦１０８、シャワー吐水用のシャワー用押し釦１１０、これらの押し釦１０８，１１０が取り付けられるベースプレート１１２、及び、押し釦１０８，１１０をロックして止水状態を保持するロック機構１４２から構成されている。
【００１６】
温度調整用ダイヤル１０４により所望の水温が設定され、湯水の混合比が調整されて、適温の吐水がなされる。また、カラン用押し釦１０８を操作することでカランから吐水され、シャワー吐水用押し釦１１０を操作することでシャワーヘッドからシャワー吐水がなされる。
【００１７】
カラン用押し釦１０８の取付け位置の前方下面側には、カラン吐水口１１６が設けられ、また、シャワー用押し釦１１０の取付け位置の背面側には、シャワー吐水口１１８（図３参照）が設けられている。カラン吐水口１１６には、カラン吐水管１２０が接続され、また、シャワー吐水口１１８には図示しないシャワーヘッドに連通したシャワーホース１２２が接続されている。
【００１８】
使用者は、温度調整用ダイヤル１０４により所望の温度を設定するとともに、カラン吐水を得たい場合はカラン用押し釦１０８を、シャワー吐水を得たい場合はシャワー用押し釦１１０を押すことにより、直ちに、所望の温度の混合水の吐水を得ることができる。そして、各押し釦１０８、１１０を再度押すと、止水されるようになっている。
【００１９】
本実施形態によれば、温度調整用ダイヤル１０４、カラン用押し釦１０８及びシャワー用押し釦１１０の順番で、水栓本体１０２上に配置され、さらに、カラン用押し釦１０８の位置及びカラン吐水口１１６の位置が上方から見てほぼ一致するようになっている。
【００２０】
次に、湯水混合水栓１０１内における湯水の流れを説明すると、先ず、給水管、給湯管から湯水混合水栓１０１内に流入した湯水は、湯用、水用それぞれに設けられた止水栓により適当な流量に絞られ、湯用、水用それぞれに設けられたフィルターおよび逆止弁を通過し、温度調節弁に流入する。温度調節弁はサーモスタット式の湯水混合弁であり、湯と水は所望の設定された温度に自動調整され、湯水混合水が温度調節弁から流出する。その後、湯水混合水はカラン用、シャワー用それぞれに設けられた開閉弁（パイロット式開閉弁装置）１３０，１３２を経て、カランおよびシャワーヘッドから吐水される。
【００２１】
図３に示すように、開閉弁１３０，１３２は、それぞれ、開閉弁取付用ナット１３４により、水栓本体１０２に固定されるようになっている。ここで、開閉弁１３０，１３２の詳細構造は、図１２乃至図１６により後述する。
また、押ボタンユニット１０６も、固定用ビス１３６により、水栓本体１０２に固定されるようになっている。
【００２２】
ここで、図５（ａ）は、図４に示す水栓本体をＡ−Ａ線に沿って見た断面図であり、図５（ｂ）は水栓本体をＢ−Ｂ線に沿って見た断面図であり、図５（ｃ）は水栓本体をＣ−Ｃ線に沿って見た断面図である。
図４及び図５に示すように、水栓本体１０２には、その背部から、湯及び水が供給されるが、その前方側では、ほぼ水及び温度調整された水（温調水）のみが流れるようになっているので、水栓本体１０２に触れても火傷することがないので、断熱カバー等を設ける必要がない。
【００２３】
次に、図６乃至図１１により、押ボタンユニット１０６の詳細構造を説明する。図６は押ボタンユニット１０６の部品を展開して示す展開図、図７は押し釦１０８（１１０）を裏側から見た斜視図、図８は押ボタンユニット１０６の正面図、図９は図８のＤ−Ｄ線に沿って見た断面図、図１０は使用者が押し釦１０８（１１０）を操作するときの押し釦の各レベルを示す湯水混合水栓の部分断面図、図１１は止水時の押し釦の状態（図１１（ａ））と吐水時の押し釦の状態（図１１（ｂ））を示す側面図である。
【００２４】
図６に示すように、押ボタンユニット１０６は、上述したように、ベースプレート１１２と、このベースプレート１１２に取り付けられるカラン用押し釦１０８及びシャワー用押し釦１１０を備えている。
また、ベースプレート１１２は、カラン用押し釦１０８及びシャワー用押し釦１１０の間にこれらの押し釦を仕切る仕切り部１３８を一体的に備えている。これにより、使用者が、カラン用押し釦１０８及びシャワー用押し釦１１０を操作するときの誤操作を簡易な構造により防止することができる。
【００２５】
さらに、押ボタンユニット１０６は、これらの押し釦１０８，１１０をベースプレート１１２に取り付けたとき、押し釦１０８，１１０をベースプレート１１２に押し付けるためのコイルバネ１４０、及び、押し釦１０８，１１０を操作しても、止水状態を保持して吐水状態とならないようにするための誤操作防止用のロック機構１４２を備えている。
【００２６】
次に、図７に示すように、押し釦１０８（１１０）は、その一端側に一対の支持軸１４４（１４４ａ，１４４ｂ）が設けられ、この支持軸１４４のうちの長い方の支持軸１４４ａには、コイルバネ１４０が取り付けられている（図９参照）。また、押し釦１０８（１１０）の裏面側には、開閉弁１３０（１３２）の操作部３６（図１３参照）と当接して使用者の押圧力を伝達する操作用突起１４６が一体的に設けられている。
【００２７】
図９に示すように、取付時には、先ず、押し釦１０８（１１０）の支持軸１４４ａに、コイルバネ１４０を装着し、次に、ベースプレート１１２に取り付ける。具体的には、シャワー用押し釦１０８の支持軸１４４ａは、ベースプレート１１２の取付用溝１４８を形成する突起１５０（１５０ａ，１５０ｂ）に当接し、弾性変形して内側にたわみ、突起１５０を乗り越えて、取付用溝１４８内に回動可能に取り付けられる。
【００２８】
図１０（ａ）は、ロック解除時の止水状態（閉状態）を示しており、このとき、押し釦１０８（１１０）の上面と、水栓本体１０２の上面（表面）は同じレベルとなっている。この止水状態（閉状態）時、開閉弁１３０（１３２）において、押し釦１０８（１１０）の裏面側（下面側）の操作用突起１４６に接触する操作部３６（図１３参照）の位置は、パイロット弁切替保持機構（ハートカム機構）６２（図１６参照）により、レベルＬ０となっている。
【００２９】
次に、止水状態から吐水状態に切り替えるときは、図１０（ｂ）に示すように、押し釦１０８（１１０）は、パイロット弁切替保持機構（ハートカム機構）６２が解除されるため、一旦、最下方位置まで下がる。
次に、図１０（ｂ）の状態から吐水操作を終了したときは、図１０（ｃ）に示す状態となり、このとき、押し釦１０８（１１０）の上面が、水栓本体１０２よりｈ１だけ高い位置となっている。具体的には、この吐水状態時、開閉弁１３０（１３２）において、押し釦１０８（１１０）の操作用突起１４６に接触する操作部３６の位置は、パイロット弁切替保持機構６２により、レベルＬ１となっている。このレベルＬ１の位置は、レベルＬ０よりも、ｈ１だけ、高い位置となっており、その結果、押し釦１０８（１１０）が、水栓本体１０３の表面よりも、上方に位置するようになっている。
【００３０】
図１１（ａ）に示すように、止水状態のときは、押し釦１０８（１１０）は、押し釦１０８（１１０）とベースプレート１１２との間で作用するコイルバネ１４０による比較的に小さな付勢力により、または、付勢力がほぼゼロの状態で、開閉弁１３０（１３２）の操作部３６に対して、下方に押し付けられている。また、図１１（ｂ）に示すように、吐水状態のときは、押し釦１０８（１１０）は、コイルバネ１４０による比較的に大きな付勢力により、下方に押し付けられている。
【００３１】
このため、使用者が、止水状態から吐水状態とするための吐水操作をした時、押し釦１０８（１１０）は、コイルバネ１４０により、ベースプレート１１２、即ち、下方に押し付けられるので、釦自体が振動する（暴れる）ことを防止することができる。
【００３２】
次に、図１２により、パイロット式開閉弁装置であるシャワー用の開閉弁１３２の基本構造を説明する。
図１２に示すように、開閉弁１３２は、使用者がシャワー用の押し釦１１０を押すとこの押圧操作により下方に押される操作部３６と、操作部３６にその基端が結合された押し棒３８と、この押し棒３８の先端に設けられたパイロット弁４０とを備えている。ここで、押し棒３８先端（下端）の大径部３８ａとパイロット弁４０との間には緩衝手段であるコイルバネ４２が設けられている。開閉弁１３２は、更に，パイロット弁４０の下方に、パイロット弁口（圧力開放穴）４４を備えパイロット弁４０がこのパイロット弁口４４に当接及び解離するダイヤフラム式の主弁４６と、この主弁４６の背面に形成され押し棒３８、パイロット弁４０及びコイルバネ４２を収納する圧力室４８を形成するためのハウジング５０と、主弁４６の表面が着座及び離座する弁座５２とを備えている。また、ハウジング５０の押し棒３８が挿通される部分には、シール部材５４が設けられている。さらに、主弁４６の外周側には、小穴（一次圧流入口）５６が形成されている。操作部３６とハウジング５０の間には、付勢用バネ６９が配置され、操作部３６を上方に付勢している。また、弁座５２の下方にはステイ部４９が設けられており、このステイ部４９の中央に形成された穴が摺動軸５５を上下方向に摺動可能に受け入れている。摺動軸５５の先端（上端）には温度応動弁５１が取付けられている。温度応動弁５１とステイ部４９の上面との間には駆動バネ５３が配置され、温度応動弁５１を上方のパイロット弁口４４の方に向って付勢している。また、摺動軸５５の下端には留め部材５５ａが取付けられており、この留め部材５５ａとステイ部４９の下面との間にバイアスバネ５７が配置されて、温度応動弁５１をパイロット弁口４４から離れる方向に付勢している。本実施形態において、駆動バネ５３は、形状記憶合金（ＳＭＡ）製のコイルバネであり、温度が上昇すると伸張するように形成されている。また、本実施形態において、バイアスバネ５７は、ステンレス鋼製のコイルバネであり、温度によりその長さは変化しない。常温においては、駆動バネ５３が発生するバネ荷重と、バイアスバネ５７が発生するバネ荷重は、温度応動弁５１がパイロット弁口４４から離れた位置で釣り合い、温度応動弁５１がパイロット弁口４４の下方で静止するように構成されている。
【００３３】
次に、シャワー用の開閉弁１３２の基本動作を説明する。この開閉弁１３２においては、圧力室４８内に設けられたパイロット弁４０を、主弁４６のパイロット弁口４４に当接及び解離させることで、パイロット弁口４４を開閉し、これによりダイヤフラム式の主弁４６の止水と吐水を切り替えるようになっている。
【００３４】
先ず、吐水状態から止水状態に切り替えるときは、付勢用バネ６９の付勢力に抗して押し棒３８によりパイロット弁４０をパイロット弁口４４に当接する方向に押す。このとき、押し棒３８には、圧力室４８内の水圧による力、シール部材５４による摺動摩擦抵抗も作用するので、これらの力にも打ち勝つ力で操作部３６を押す必要がある。
【００３５】
次に、パイロット弁４０が主弁４６のパイロット弁口４４に当接してパイロット弁口４４が閉鎖されると、主弁４６の小穴５６を通って圧力室４８内に流入した一次側通水路の水が圧力室４８内に溜って、圧力室４８内の圧力が上昇する。これにより、ダイヤフラム式の主弁４６が圧力室４８内の圧力に押されて下方に移動し、やがて主弁４６が弁座５２に着座して、止水状態に切り替わる。なお、小穴５６は小さく形成されているため、圧力室４８内の圧力上昇は緩やかであり、主弁４６は遅い速度で弁座５２に着座する。これは、主弁４６の閉止時のウォーターハンマーの発生を抑えるためである。吐水状態から操作部３６を一回押し下げると、操作部３６は、後述するパイロット弁切替保持機構により、押し下げられた位置に維持される。この状態では、パイロット弁４０はパイロット弁口４４に当接したままであるので、圧力室４８内は一次側通水路の圧力に維持され、主弁４６は弁座５２に着座した状態に保持される。
【００３６】
さらに、この開閉弁１３２では、緩衝手段であるコイルバネ４２を、押し棒３８とパイロット弁４０との間、即ち、圧力室４８内に設けたので、このコイルバネ４２には、圧力室４８内の圧力により押し棒３８を圧力室４８外に押し戻す力は作用しない。このため、コイルバネ４２には非常に弱いバネを使用することができる。コイルバネ４２は非常に弱いバネであるため、パイロット弁４０がパイロット弁口４４に当接した後、コイルバネ４２を押し縮めるために必要とされる力は非常に小さく、パイロット弁４０がパイロット弁口４４に当接する前後における操作力の変化は非常に少ない。
【００３７】
また、止水状態において操作部を一回押すと、パイロット弁切替保持機構により押し下げられた位置に維持されていた操作部３６が、付勢用バネ６９の付勢力によって押し上げられ、元の位置に復帰する。操作部３６が元の位置に復帰すると、押し棒３８を介して操作部３６に連結されているパイロット弁４０がパイロット弁口（圧力開放穴）４４から引き離される。パイロット弁４０がパイロット弁口４４から離れてパイロット弁口４４が開放されると、圧力室４８内の圧力が低下するので、主弁４６を弁座５２に押し付ける力が作用しなくなる。このため、ダイヤフラム式の主弁４６は、ダイヤフラムが元の形状に戻ることによって弁座５２から離座し、吐水状態となる。
【００３８】
次に、図１３乃至図１６により、開閉弁（パイロット式開閉弁装置）１３２の構造をより具体的に説明する。図１３は開閉弁（パイロット式開閉弁装置）における止水状態（閉状態）を示す断面図であり、図１４は開閉弁（パイロット式開閉弁装置）における吐水状態（開状態）を示す断面図であり、図１５は温度応動弁の作用により止水状態にされる直前の開閉弁の断面図である。また、図１６はパイロット弁切替保持機構６２の作用を示す拡大図である。
【００３９】
先ず、図１３に示すように、開閉弁１３２は、図１２により既に説明した、操作部３６、押し棒３８、パイロット弁４０、緩衝手段であるコイルバネ４２、パイロット弁口（圧力開放穴）４４を備えたダイヤフラム式の主弁４６、圧力室４８を形成するためのハウジング５０（５０ａ，５０ｂ）、弁座５２、シール部材５４、小穴５６、付勢用バネ６９を備えている。さらに、図１２に示したように、開閉弁１３２は、ステイ部４９、温度応動弁５１、摺動軸５５、駆動バネ５３、バイアスバネ５７を備えている。
【００４０】
次に、上述した小穴（一次圧流入口）５６には、クリーニング用のピン５８が挿入されており、小穴５６の一次圧流入口の通水面積を絞っている。これにより、上述したように、一次圧の圧力室への流入速度を抑制することで主弁４６の閉止速度を緩やかにし、閉止時に発生するウォーターハンマーを低減できるようにしている。
【００４１】
圧力室４８を形成するハウジング５０は、主にパイロット弁４０が配置された空間を取り囲む第１ハウジング５０ａと、主弁４６の背面側の空間を取り囲む第２ハウジング５０ｂから構成されている。
また、最外周側には、操作部３６、第１ハウジング５０ａ、第２ハウジング５０ｂ、弁座５２の４つの部品を組み付けることにより、開閉弁３２を組み立てるための組付ナット６０が配置されている。さらに、付勢用バネ６９は、第１ハウジング５０ａと操作部３６との間に配置され、操作部３６を第１ハウジング５０ａに対して上方に付勢している。
【００４２】
さらに、第１ハウジング５０ａの外側には、パイロット弁切替保持機構６２が設けられている。このパイロット弁切替保持機構６２は、一般にノック式ボールペンのノック機構などで使用される機構でもよいが、本実施形態では、図１３乃至１５に示すように、操作部３６と連動して移動するピン６４と、第１ハウジング５０ａの外周面に形成されピン６４の下方側が弾性変形しながらこれに沿って移動する逆ハート形状のカム溝６６と、止水状態（閉状態）でピン６４を保持する保持用突起６８から形成されたハートカム機構である。
【００４３】
ここで、図１６により、パイロット弁切替保持機構（ハートカム機構）６２の詳細構造及び動作を説明する。図１６は、開閉弁に使用されるパイロット弁切替保持機構（ハートカム機構）を示す拡大図である。図１６に示すように、使用者が押し釦１０８，１１０の押圧操作をするごとに、ピン６４の下端部６４ａは、ａ位置（止水状態）、ｂ位置（押込み状態）、ｃ位置（吐水状態）、ｄ位置（押込み状態）の順序で，移動する。即ち、ａ位置（止水状態）においては、ピン６４の下端部６４ａが、保持用突起６８により保持されており、止水状態が保持されている。次に、止水状態から吐水状態に吐水操作すると、ピン６４の下端部６４ａは、カム溝６６の形状に沿って移動し、ｂ位置（押込み状態）まで下がり、その後、ｃ位置（吐水状態）まで移動し、この位置で、吐水状態が保持される。次に、吐水状態から止水状態に止水操作すると、ピン６４の下端部６４ａは、ｃ位置（吐水状態）から、カム溝６６の形状に沿って移動し、ｄ位置（押込み状態）まで下がり、その後、ａ位置（吐水状態）まで移動し、この位置で、止水状態が保持される。
【００４４】
パイロット弁切替保持機構６２がハートカム機構であるので、圧力室４８をシールするシール部材５４に、押し棒３８の往復運動（上下運動）のみが作用し、上述したノック機構のように押し棒３８の回転運動が作用しないため、シール部材５４への負担が少なくなり、高い信頼性が得られる。
【００４５】
また、図１３及び図１４に示すように、付勢用バネ６９により、止水状態から吐水状態に切替操作する際、即ち、押し釦８，１０が押された際、パイロット弁切替保持機構６２による止水状態位置における保持が解除され、操作部３６が上方に付勢され、パイロット弁４０が弁体４２から解離し、容易に吐水状態に切り替えることができるようになっている。
【００４６】
次に、押し棒３８とパイロット弁４０の結合部について説明する。図１３乃至図１５に示すように、押し棒３８の先端（下端）であって圧力室４８の内部には、上述したように、押し棒３８のストローク方向の移動距離（変位量）を吸収する緩衝手段であるコイルばね４２が設けられている。押し棒３８の先端（下端）に大径部３８ａが形成され、さらに、パイロット弁４０の先端には、パッキン４０ａが装着されている。パイロット弁４０は、中空部４０ｂを有し、この中空部４０ｂにコイルばね４２を内蔵している。パイロット弁４０の上側には、押し棒３８が摺動可能に挿入される挿入穴４０ｃが形成されている。パイロット弁４０は、弾性変形可能な樹脂材料で作られており、組立て時は、パイロット弁４０を変形させながら、押し棒３８を挿入穴４０ｃに挿入し、中空部４０ｂ内に押し棒３８の大径部３８ａを収納するようにしている。ここで、コイルばね４２は押し棒３８とパイロット弁４０とを引き離す方向に作用している。
【００４７】
これにより、止水状態から吐水状態に切り替える吐水操作時には、コイルばね４２の付勢力により押し棒３８の先端の大径部３８ａとパイロット弁４０の上側が係合し、それにより、パイロット弁４０は、押し棒３８の動きと連動し、主弁４６に形成されたパイロット弁口４４から離座する（図１４参照）。
【００４８】
吐水状態から止水状態に切り替える止水操作時には、パイロット弁４０が主弁４６に形成されたパイロット弁口４４に当接するとき、押し棒３８の大径部３８ａは、パイロット弁４０の上側から離れて下降するが、押し棒３８のストローク方向の移動距離（変位量）はコイルばね４２により吸収される（図１３参照）。
【００４９】
次に、温度応動弁５１の駆動機構について説明する。図１３乃至図１５に示すように、ステイ部４９は、円柱形のボス部４９ａを、このボス部４９ａから半径方向外方に延びる４本のアーム部４９ｂにより、開閉弁１３２の出口の中央に支持するように構成されている。ボス部４９ａの中心には穴が設けられ、この穴が摺動軸５５を上下方向に摺動自在に支持している。摺動軸５５の先端（上端）には、温度応動弁５１が設けられ、温度応動弁５１の上面にはパッキン５１ａが取付けられている。ボス部４９ａの上面と温度応動弁５１の間には、駆動バネ５３が配置され、温度応動弁５１を上方に付勢している。また、バイアスバネ５７が、摺動軸５５の下端に取付けられた留め部材５５ａとボス部４９ａの下面との間に配置され、温度応動弁５１を下方に付勢している。この構造により、温度応動弁５１は、駆動バネ５３及びバイアスバネ５７によって夫々上下に付勢されるので、これらのバネの付勢力が釣り合った位置で静止する。本実施形態において、駆動バネ５３、摺動軸５５、及びバイアスバネ５７は、応動弁駆動手段を構成する。また、本実施形態において、温度応動弁５１と、応動弁駆動手段と、圧力室４８は、主弁駆動手段を構成する。
【００５０】
常温においては、駆動バネ５３の付勢力とバイアスバネ５７の付勢力は、温度応動弁５１がパイロット弁口４４から離れた位置で釣り合うので、温度応動弁５１はパイロット弁口４４に当接せず、パイロット弁口４４は開放される。開閉弁１３２から高温の水（例えば、４５゜Ｃよりも高温の水）が吐出された場合には、高温の水によって駆動バネ５３が加熱されるので、形状記憶合金製の駆動バネ５３は、伸張しようとする。駆動バネ５３が伸張すると駆動バネ５３による付勢力が増大するので、駆動バネ５３の付勢力はバイアスバネ５７の付勢力に打ち勝って、温度応動弁５１を上方に移動させ、温度応動弁５１はパイロット弁口４４に当接する（図１５の状態）。温度応動弁５１がパイロット弁口４４に当接すると、小穴５６を通って圧力室４８内に流入した高温の水は、パイロット弁口４４を通って外部に出ることができなくなるので、圧力室４８内の圧力が上昇し、主弁４６が下方の弁座５２に向って移動され、開閉弁１３２は閉鎖される。この際、温度応動弁５１は駆動バネ５３によって上方に付勢されているので、主弁４６は温度応動弁５１から上方に向う力を受けるが、圧力室４８内の圧力による力は、これに打ち勝って主弁４６を下方に移動させる。
【００５１】
また、図１５（ｂ）に示すように、パイロット弁口４４の下面には切欠部４４ａが形成されているので、温度応動弁５１がパイロット弁口４４に当接してもパイロット弁口４４は完全には閉鎖されず、切欠部４４ａを通って圧力室４８内の高温の水が僅かに流出する。従って、温度応動弁５１の作用により主弁４６が閉鎖され、開閉弁１３２に流入している高温の水が少しずつパイロット弁口４４の切欠部４４ａから流出している状態においては、駆動バネ５３は、切欠部４４ａから流出する高温の水によって加熱され続けるので、伸張した状態に維持される。また、温度調整用ダイヤル１０４の調整等によって開閉弁１３２に流入する水が低温になると、圧力室４８及び水栓本体１０２内に溜まっていた高温の水は切欠部４４ａから流出し、その後、低温の水が切欠部４４ａから流出するので、低温の水によって駆動バネ５３が冷却される。駆動バネ５３の温度が低下すると、駆動バネ５３による付勢力は弱くなるので、駆動バネ５３はバイアスバネ５７の付勢力によって圧縮され、温度応動弁５１はパイロット弁口４４から離れる。温度応動弁５１がパイロット弁口４４から離れ、パイロット弁口４４が開放されると、圧力室４８内の圧力が低下するので、主弁４６が弁座５２から離れ、開閉弁１３２が吐水状態に復帰する。本実施形態においては、パイロット弁口４４の直径は２ｍｍであり、切欠部４４ａによって形成される通水路の断面積は直径１ｍｍの円とほぼ同一である。
【００５２】
このように、パイロット弁口４４の下面に切欠部４４ａを設け、圧力室４８内の水が少しずつ外部に洩れるようにすることで、圧力室４８内の圧力を高圧に保持しながら、開閉弁１３２に高温の水が流入しているときには確実に止水状態を維持し、開閉弁１３２に流入する水が所定温度以下になったときには開閉弁を吐水状態に復帰させることができる。
【００５３】
図１７は、形状記憶合金製のコイルバネである駆動バネ５３が発生する付勢力と温度の関係の一例を示すグラフである。図１７に示すように、駆動バネ５３は、シャワーヘッドから不意に吐水すると問題がある約４５゜Ｃに近づくと急激に付勢力が増大するように構成されている。この付勢力の増大により、開閉弁１３２から吐水される水の温度が上昇すると、駆動バネ５３の付勢力がバイアスバネ５７の付勢力に打ち勝って、温度応動弁５１を上方に押し上げる。
【００５４】
ここで、駆動バネ５３及びバイアスバネ５７が満たさなければならない条件を検討する。即ち、駆動バネ５３によって付勢された温度応動弁５１は、主弁４６を押し上げる方向に力を作用させるので、温度応動弁５１が主弁４６に作用させる力が強すぎると主弁４６が弁座５２から離れてしまうからである。まず、開閉弁１３２に流入する水の圧力の最低値をＰ１ｍｉｎ、主弁４６の弁座径をＤとすると、圧力室４８内の水圧が主弁４６を弁座５２に押し付ける力は、最低で、（Ｄ／２）2π×Ｐ１ｍｉｎとなる。一方、温度応動弁５１が主弁４６を押し上げる力は、駆動バネ５３による付勢力をＦｓ、バイアスバネ５７による付勢力をＦｂとすると、これらの差Ｆｓ−Ｆｂとして与えられる。従って、
（Ｄ／２）2π×Ｐ１ｍｉｎ＞Ｆｓ−Ｆｂ        （数式１）
の条件が満たされるように駆動バネ５３の付勢力Ｆｓ、バイアスバネ５７の付勢力Ｆｂを決定すれば良い。ここで、Ｄ＝９ｍｍ、Ｐ１ｍｉｎ＝０．０５ＭＰａとすれば、Ｆｓ−Ｆｂ＜３．２Ｎと計算される。また、温度応動弁５１を上方に移動させるためには殆ど力を必要としないので、Ｆｓ−Ｆｂの値は、正の値であれば非常に小さい値で良い。従って、温度応動弁５１がパイロット弁口４４に当接する位置において、これらの条件を満たすように、駆動バネ５３及びバイアスバネ５７のバネ定数、及びそれらの保持条件を決定すれば良い。
【００５５】
以上、温度応動弁の駆動機構を説明したが、変形例として、駆動バネ５３をステイ部４９の下側に、バイアスバネ５７をステイ部４９の上側に配置するように構成することもできる。この場合においては、ステイ部４９の下側に配置された駆動バネ５３は温度応動弁５１を上方に引き上げ、バイアスバネ５７は温度応動弁５１を下方に引き下げるように構成する。さらに、形状記憶合金製の駆動バネ５３を、高温に晒されると長さが縮小して温度応動弁５１を上方に引き上げる力が増大するように構成しておくことにより、高温に晒されたとき、駆動バネ５３が温度応動弁５１を上方に引き上げる力が、バイアスバネ５７が温度応動弁５１を下方に引き下げる力に打ち勝って、温度応動弁５１がパイロット弁口４４に当接するようになる。次いで、駆動バネ５３が低温になると、駆動バネ５３が温度応動弁５１を上方に引き上げる力が減少し、バイアスバネ５７が温度応動弁５１を下方に引き下げる力によって、温度応動弁５１がパイロット弁口４４から引き離される。
【００５６】
以上、シャワーからの吐水、止水を切り換えるパイロット式開閉弁装置である開閉弁１３２を説明したが、カランからの吐水、止水を切り換える開閉弁１３０の構成及び作用もほぼ同一である。ただし、カランについては、浴槽に差し湯をする場合等、高温の水を吐水させる必要があるので、本実施形態においては、開閉弁１３０には、高温の水の吐水を防止する機構を設けていない。即ち、開閉弁１３０には、ステイ部４９、温度応動弁５１、駆動バネ５３、摺動軸５５及びバイアスバネ５７が設けられていない。しかしながら、適用によっては、カラン用の開閉弁１３０にシャワー用の開閉弁１３２と同一の開閉弁を使用しても良いし、或いは、温度応動弁が作動する温度が開閉弁１３２よりも高くなるように構成した開閉弁をカラン用に使用しても良い。
【００５７】
次に、図１８を参照して、本発明の第２実施形態の水栓装置を説明する。本実施形態の水栓装置は、シャワー用の開閉弁とカラン用の開閉弁の配置が、第１実施形態とは異なる。従って、同様の構成要素には同一の参照番号を付して説明を省略し、第１実施形態と異なる部分のみを説明する。図１８は、本発明の第２実施形態の水栓装置の断面図を示す。図１８に示すように、本実施形態の水栓装置１８０は、水栓本体１０２と、温度調整用ダイヤル１０４と、サーモスタット式の湯水混合弁１８２と、シャワー用の開閉弁１３２と、カラン用の開閉弁１３０と、を有する。また、シャワー用の開閉弁１３２には、第１実施形態と同様の温度応動弁５１（図１８には図示せず）等の高温の水の吐水を防止する機構が設けられており、カラン用の開閉弁１３０には、この機構は設けられていない。
【００５８】
図１８に示すように、水栓本体１０２に流入した湯及び水は、温度調整用ダイヤル１０４の設定に基づいて湯水混合弁１８２によって混合され、適温に調整される。適温に調整された水は、まず、シャワー用の開閉弁１３２に流れ、次いで、カラン用の開閉弁１３０に流れるように構成されている。シャワー用の開閉弁１３２を操作して吐水状態とすると、湯水混合弁１８２を経て適温に調整された水が、シャワー吐水口１１８から吐水される。また、カラン用の開閉弁１３０を操作して吐水状態とすると、湯水混合弁１８２を経て適温に調整された水が、シャワー用の開閉弁１３２の周囲を通ってカラン用の開閉弁１３０に至り、カラン吐水管１２０から吐水される。
【００５９】
シャワー用の開閉弁１３２及びカラン用の開閉弁１３０がこのように配置されていると、シャワー吐水口１１８から高温の水を吐水させようとして温度応動弁５１が作用した後、シャワー用の開閉弁１３２を素早く通常の吐水状態に復帰させることができる。即ち、シャワー用の開閉弁１３２から高温の水を吐水させようとすると、駆動バネ５３（図１８には図示せず）が加熱され、温度応動弁５１が作動して開閉弁１３２を止水状態にする。次に、温度調整用ダイヤル１０４を低温に設定してシャワー用の開閉弁１３２の吐水操作を行ったとしても、駆動バネ５３が冷却されて温度が下がるまでは温度応動弁５１が作用しているので、開閉弁１３２をすぐに通常の吐水状態に復帰させることはできない。そこで、カラン用の開閉弁１３０を吐水状態に切り替えることによってカラン吐水管１２０から吐水させると、水栓本体１０２の中に溜まっていた高温の水がカラン吐水管１２０から速やかに排出されるので、湯水混合弁１８２とカラン用の開閉弁１３０の間にあるシャワー用の開閉弁１３２も速やかに冷却される。これにより、駆動バネ５３の温度が速やかに低下するので、温度応動弁５１も速やかに非作動状態（温度応動弁５１がパイロット弁口から離れた状態）に復帰し、シャワーヘッドから吐水を行うことができるようになる。
【００６０】
本発明の第２実施形態の水栓装置によれば、温度応動弁の作用によりシャワー用の開閉弁が止水状態になった後、設定温度を下げてカランから吐水させることにより、速やかにシャワー用の開閉弁を吐水状態に復帰させることができる。
【００６１】
次に、図１９及び図２０を参照して、本発明の第３実施形態の水栓装置である湯水混合水栓を説明する。図１９は本発明の第３実施形態の湯水混合水栓の全体斜視図であり、図２０（ａ）は湯水混合水栓のシャワー用押し釦操作可能状態における平面図であり、（ｂ）は左側面図、（ｃ）は右側面断面図である。なお、図２０（ｃ）は、図２０（ａ）のＮ−Ｎ線に沿って取られた断面図であり、図２０（ａ）は、図２０（ｂ）のＭ−Ｍ線に沿った階段断面図として示されている。本発明の第３実施形態の湯水混合水栓は、水栓本体の形状が第１実施形態とは異なる。従って、ここでは、本発明の第３実施形態の第１実施形態とは異なる点のみ説明し、同様の構成要素については同一の参照番号を付して説明を省略する。
【００６２】
図１９及び２０に示すように、符号２０１は、本実施形態による湯水混合水栓を示し、この湯水混合水栓２０１は、湯水混合水栓２０１の設置面である壁面から突出して設けられている。この湯水混合水栓２０１は、水栓本体２０２と水栓本体２０２の上面を覆うカバー２０３を備え、この水栓本体２０２の上面に、温度調整用ダイヤル２０４及び２つの押し釦２０８、２１０が取り付けられている。また、図２０（ｃ）に示すように、各押し釦２０８、２１０の下には、カラン用、シャワー用の開閉弁２３０、２３２（２３２のみ図示）が夫々配置されている。これらの各開閉弁の構成は第１実施形態における開閉弁１３０、１３２と夫々同様であるので説明を省略する。
【００６３】
水栓本体２０２に流入した湯及び水は、温度調整用ダイヤル２０４の設定に基づいた比率で混合され適温に調整される。使用者が、押し釦２０８を押すと、その下方に位置する開閉弁２３０が開状態となり、カラン吐水口２１６から適温に調整された水が吐出される。また、押し釦２１０を押すと、その下方に位置する開閉弁２３３が開状態となり、シャワー吐水口２１８から適温に調整された水が吐出される。温度調整用ダイヤル２０４には、高温吐水用釦２０９が設けられており、温度調整用ダイヤル２０４を高温に設定する場合には、高温吐水用釦２０９を押しながら温度調整用ダイヤル２０４を回転させなければ、温度調整用ダイヤル２０４が高温側まで回らないように構成されている。
【００６４】
このように構成された本発明の第３実施形態によれば、開閉弁２３２を操作してシャワーヘッドから高温の水を吐水させようとすると、開閉弁２３２の内部に設けられた温度応動弁（図１９、２０には図示せず）が作動して、開閉弁２３２を止水状態にする。これにより、高温の水をシャワーヘッドから不意に吐水させるという危険を回避することができる。
【００６５】
次に、図２１を参照して、本発明の第４実施形態による湯水混合水栓を説明する。本実施形態の湯水混合水栓は、一方の押し釦を押すと湯と水の混合水が直接カランから吐水され、他方の押し釦を押すと湯と水の混合水が、浄水器を介して吐水される点が、第３実施形態とは異なる。従って、ここでは、第４実施形態の第３実施形態とは異なる点のみを説明し、同様の構成要素には同一の参照番号を付して説明を省略する。
【００６６】
図２１は、本発明の第４実施形態による湯水混合水栓の全体斜視図である。図２１に示すように、符号３０１は、本実施形態による湯水混合水栓を示し、この湯水混合水栓３０１は、湯水混合水栓３０１の設置面である壁面から突出して設けられている。この湯水混合水栓３０１は、水栓本体２０２と水栓本体２０２の上面を覆うカバー２０３を備え、この水栓本体２０２の上面に、温度調整用ダイヤル２０４及び２つの押し釦２０８、２１０が取り付けられている。また、各押し釦２０８、２１０の下には、原水吐水用、浄水器吐水用の開閉弁ユニット（図示せず）が夫々配置されている。これにより、原水吐水用押し釦２０８を押すと湯と水が混合され適温に調整された混合水がカラン吐水口２１６を通ってカランから吐出され、浄水器吐水用押し釦２１０を押すと混合水が浄水器吐水口３０４を通って浄水器３０２に流入して浄水され、浄水器の吐出口３０２ａから吐出する。なお、各開閉弁ユニットの構成は第１実施形態と同様であるので説明を省略する。
【００６７】
浄水器吐水用の開閉弁ユニット（図示せず）は、水栓装置から吐水される水が、浄水器に流入させると浄水器のフィルターを損傷してしまう温度、例えば、６０゜Ｃ以上になると、主弁が閉鎖されるように構成されている。これにより、温度調整用ダイヤル２０４を高温に設定しているとき、浄水器吐水用押し釦２１０を誤って押し、浄水器３０２のフィルターを損傷してしまうことが回避される。なお、吐水される水が高温になると主弁を閉鎖させる機構の構成は第１実施形態と同様であるので説明を省略する。
【００６８】
本発明の第４実施形態の湯水混合水栓によれば、高温設定時における浄水器吐水用押し釦の誤操作や、浄水器吐水用押し釦の上への落下物により、浄水器に高温の水を流入させ、浄水器のフィルターを損傷してしまうことを回避することができる。
【００６９】
以上、本発明の水栓装置の好ましい実施形態を説明したが、上述した実施形態に種々の変更を加えることができる。特に、上述した実施形態では、水栓装置は、シャワー用及びカラン用の２つの開閉弁を備えていたが、水栓装置の開閉弁の数は、１つでも良いし、３つ以上でも良い。また、高温設定時に吐水できなくなる開閉弁は、少なくとも１つ備えられていれば良い。さらに、上述した実施形態では水栓装置は浴室用のものであるが、台所用等、任意の用途の水栓装置に本発明を適用することができる。また、上述した実施形態では、応動弁駆動手段として２本のコイルバネを使用しているが、応動弁駆動手段として、板バネ、ゴム等、温度応動弁を駆動することができる任意の部材を使用することができる。
【００７０】
また、上述した実施形態では、圧力室の外部に温度応動弁及び応動弁駆動手段を配置していたが、図２２に示すように、温度応動弁をパイロット弁と兼用にし、応動弁駆動手段を圧力室の内部に配置するように本発明を構成することもできる。図２２に示す変形例では、押し棒３８先端の大径部３８ａの上側にバイアスバネ１９０が、下側に駆動バネ１９２が配置されている。この変形例において、操作部３６を操作することにより押し棒３８が下方に移動すると、パイロット弁（温度応動弁）４０が圧力開放穴４４を閉鎖して、主弁４６を閉鎖方向に移動させる。また、押し棒３８が吐水状態の位置にある場合でも、圧力室内に高温の水が流入すると、駆動バネ１９２が伸張してバイアスバネ１９０の付勢力に打ち勝って、パイロット弁４０を下方に移動させる。これにより、圧力開放穴４４が閉鎖され、主弁４６も閉鎖されて止水状態となる。
【図面の簡単な説明】
【００７１】
【図１】本発明の第１実施形態による湯水混合水栓を示す全体斜視図である。
【図２】図１に示された湯水混合水栓の平面図である。
【図３】図１に示す湯水混合水栓の部品を展開して示す展開図である。
【図４】本発明の実施形態の水栓本体を示す平面図である。
【図５】図４のＡ−Ａ線、Ｂ−Ｂ線及びＣ−Ｃ線に沿って見た断面図である。
【図６】本発明の実施形態による押ボタンユニットの部品を展開して示す展開図である。
【図７】本発明の実施形態による押し釦を裏側から見た斜視図である。
【図８】本発明の実施形態による押ボタンユニットを示す正面図である。
【図９】図８のＤ−Ｄ線に沿って見た断面図である。
【図１０】使用者が押し釦を操作するときの押し釦の各レベルを示す混合水栓の部分断面図である。
【図１１】本発明の実施形態の押し釦による止水状態（図１１（ａ））と吐水状態（図１１（ｂ））を示す側面図である。
【図１２】本発明の実施形態の開閉弁の基本構造を示す概略図である。
【図１３】開閉弁における止水状態（閉状態）を示す断面図である。
【図１４】開閉弁における吐水状態（開状態）を示す断面図である。
【図１５】温度応動弁が作動して止水状態になっている開閉弁を示す断面図である。
【図１６】開閉弁に使用されるパイロット弁切換保持機構（ハートカム機構）を示す拡大図である。
【図１７】付勢バネの温度と、付勢バネが発生する付勢力の関係を示すグラフである。
【図１８】本発明の第２実施形態による湯水混合水栓を示す断面図である。
【図１９】本発明の第３実施形態による湯水混合水栓を示す全体斜視図である。
【図２０】図１９に示された湯水混合水栓の平面図（ａ）、左側面図（ｂ）、右側面断面図（ｃ）である。
【図２１】本発明の第４実施形態による湯水混合水栓を示す全体斜視図である。
【図２２】本発明における開閉弁の変形例の基本構造を示す概略図である。
【符号の説明】
【００７２】
３６  操作部
３８  押し棒
４０  パイロット弁
４２  コイルバネ
４４  パイロット弁口（圧力開放穴）
４６  主弁
４８  圧力室
４９  ステイ部
５０  ハウジング
５１  温度応動弁
５２  弁座
５３  駆動バネ
５４  シール部材
５５  摺動軸
５６  小穴（一次圧流入口）
５８  ピン
６０  組付ナット
６２  パイロット弁切替保持機構
６４  ピン
６６  カム溝
６８  保持用突起
１０１  湯水混合水栓
１０２  水栓本体
１０４  温度調整用ダイヤル
１０６  押ボタンユニット
１０８  カラン用押し釦
１１０  シャワー用押し釦
１１２  ベースプレート
１１６  カラン吐水口
１１８  シャワー吐水口
１２０  カラン吐水管
１３０，１３２  開閉弁（パイロット式開閉弁装置）
１３４  開閉弁取付用ナット
１３６  固定用ビス
１３８  仕切り部
１４０  コイルバネ
１４２  ロック機構
１４４  支持軸
１４６  操作用突起
１４８  取付用溝
１５０  突起
１８０  本発明の第２実施形態による湯水混合水栓
１８２  湯水混合弁
２０１  本発明の第３実施形態による湯水混合水栓
２０２  水栓本体
２０４  温度調整用ダイヤル
２０８  カラン用押し釦
２０９  高温吐水用釦
２１０  シャワー用押し釦
２１６  カラン吐水口
２１８  シャワー吐水口
２３２  開閉弁
３０１  本発明の第４実施形態による湯水混合水栓
３０２  浄水器
【図１】
2005163990.tif 000003
【図２】
2005163990.tif 000004
【図３】
2005163990.tif 000005
【図４】
2005163990.tif 000006
【図５】
2005163990.tif 000007
【図６】
2005163990.tif 000008
【図７】
2005163990.tif 000009
【図８】
2005163990.tif 000010
【図９】
2005163990.tif 000011
【図１０】
2005163990.tif 000012
【図１１】
2005163990.tif 000013
【図１２】
2005163990.tif 000014
【図１３】
2005163990.tif 000015
【図１４】
2005163990.tif 000016
【図１５】
2005163990.tif 000017
【図１６】
2005163990.tif 000018
【図１７】
2005163990.tif 000019
【図１８】
2005163990.tif 000020
【図１９】
2005163990.tif 000021
【図２０】
2005163990.tif 000022
【図２１】
2005163990.tif 000023
【図２２】
2005163990.tif 000024